(57)【要約】      （修正有）【課題】２人又は４人で綱引き競技を行った結果、勝敗を判定することが容易な運動用具を提供する。【解決手段】綱引き競技に使用される丈夫なロープ１，２の中央においてロープを綯い、ロープをＸ字状に交差させて中央部の交差部３を設けて、その各ロープの端部に引き輪６を設け、引き輪を握って互いに引き合う綱引き競技において、使用されるＸ字状ロープの交差部３を取り巻く目印標識を中央位置に設けて、勝敗を目視判定可能とするため、綱引き競技の水平な方向のロープの交差部の目印標識に対して基準線８を有する仕切り板７をＸ字状ロープに直角に交差するように目印標識下方に置いて前記目印標識の位置により勝敗を判定する。【選択図】図１
0003158415.tif 000002
【実用新案登録請求の範囲】
【請求項１】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識で勝敗を目視判定することを特徴とする綱引き用Ｘロープ運動具。
【請求項２】
綱引き競技に使用される丈夫なロープの中央においてロープを綯って、ロープを綯いＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識は筒状体を設けることを特徴とする請求項１に記載の綱引き用Ｘロープ運道具。
【請求項３】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識はリングを設けることを特徴とする請求項１に記載の綱引き用Ｘロープ運道具。
【請求項４】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識により勝敗を目視判定可能とするため、綱引き競技の水平な方向のロープの中央部の目印標識に対して基準線を有する仕切り板をＸ字状ロープと組み合わせて、このＸ字状ロープ中央目印標識の下方に前記ロープに直角に交差する仕切り板を置いて、仕切り板上の前記基準線から中央目印標識の位置により勝敗を判定することを特徴とする請求項１に記載の綱引き用Ｘロープ運道具。
【請求項５】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識は繊維を垂らして房状に中心線を表示することを特徴とする請求項１に記載の綱引き用Ｘロープ運道具。
【考案の詳細な説明】
【技術分野】
【０００１】
本考案は、２人又は４人で綱引き競技を行った結果、勝敗を判定することが容易な運動用具に関するものである。
【背景技術】
【０００２】
グランドや体育館で使用する運動用具の中で、多人数で綱引き競技に使用するロープは、１本の太い丈夫なロープが実用に供されている。
実用の綱引き競技用ロープは、長いロープの中央部に目印標識を取り付けて、競技グランドの上に引いた中心線により競技の結果として勝ち負けを確認するものである。綱引き競技用ロープは、大勢の人が二手に分かれて互いに向き合って、１本のロープを引っ張り合った結果、勝敗を判定する。その競技に使用するロープは、両側に引っ張り合っても中央部が明確な目印標識があり、大きさに制限はないが丈夫で弾力がなく引きやすくロープを手に持って滑らないのみで実用上十分であった。
【０００３】
しかし、比較的狭い室内で競技を実現しやすく、結果として勝敗の判定の誤差を生じにくくするため、ロープ中央部の目印標識を明確にして、ロープ上の中心線の位置を不動に確保する必要がある。従来の綱引き競技は長いロープを大勢の人が二手にわかれて互いにロープを引き合うため、使用場所の面積が広くなる。１本のロープを互いに引き合う競技では、双方に男女の一組み同士で互いに対抗競技する楽しみがない、前後に並んでいる人物同士が接触しあって迷惑を掛ける恐れがある、などの理由により狭い室内で競技することが適当でないという欠点があった。
【０００４】
一本の長いロープの欠点は、数人で室内で競技するスポーツとして適当でない。例えば、一般の家庭とか会社内で２人又は４人で互いに力を競い合って綱引き競技をするための用途においては、スポーツの楽しみ方として大きな障害である。
具体的には、綱引き競技は一般に誰でも親しみやすいスポーツでありながら、大勢の人数で競技する体育館がない、綱引きのために大勢の人が集まらない、あるいは、大きなグランドで運動会とかの行事に伴って綱引き競技をするものであるから、少人数が二手に別れて、1本のロープを引き合う綱引き競技では皆で競技する面白さが伴わないという問題があった。
【０００５】
この改善策として、グランドでも、狭い室内でも２人又は４人という比較的少人数で綱引き競技をする運動具としては、例えば特許文献１〜４により公開されている。特許文献１乃至２に示された綱引き用運道具は、４本のロープの中心に繋がれている正方形ロープがある。特許文献３の場合は、図１〜４に示される本体に２本のロープが固定されることがない。特許文献４は、２人で綱引きする運道具である。  
本考案は、２〜４人で綱引きを楽しくするために提案された綱引き用Ｘロープ運道具であり、綱引き競技の結果、勝敗を明確にして室内でも楽しめる方法として提案されているものである。
【先行技術文献】
【特許文献】
【０００６】
【特許文献１】実用新案公開昭６１−７１１７５号公報
【特許文献２】実用新案公開平５−６３５７８号公報
【特許文献３】実用新案公開平６−７４１７６号公報
【特許文献４】米国特許和文抄録文献番号５，７６９，４２６
【考案の概要】
【考案が解決しようとする課題】
【０００７】
解決しようとする問題点は、従来の特許文献１〜４に公開された少人数の綱引き競技用の運動具では、ロープの中央部が常に動いているので中央部を示す位置を認識するものが無く、目印標識で勝敗判定を目視確認できない点である。
【課題を解決するための手段】
【０００８】
本考案は、綱引き運動用に使用される丈夫なロープの中央部において、ロープの一部をＸ（エッキス）字状に交差させて縄を綯い交差部を設けて、その各ロープの端部に引き輪を設けて、その引き輪を握って互いに引き合って勝敗を競う綱引き競技において、ロープ中央部に固定された目印標識を設けて、その目印標識の下に置いた仕切り板上を通過する目印標識の位置により勝敗を目視判定可能とする。  
【０００９】
このため、綱引き競技の水平な方向のロープの中央部下方にロープに対して直角に交差する基準線を有する仕切り板を置いてその上を通過するロープの中央部であることを示す目印標識の位置により勝敗を判定することを最も主要な特徴とする。  
【００１０】
前記ロープの端部に引き輪を取り付ける方法は、合成樹脂製引き輪をロープの端部に取り付ける方法であっても良いし、或いはロープの端部を少し長めにとって端部を折り返して各ロープに綯って引き輪を作っても良い。この場合、掌の幅程度の長さを有する合成樹脂製チューブをロープに通して端部を折り返して引き輪を作っても良い。
【考案の効果】
【００１１】
本考案の綱引き用Ｘロープ運道具は、ロープ中央部でロープを綯いＸ字状に交差させて交差部を設けて、交差部には固定された目印標識を設けてある。綱引き結果で勝敗の判定は、仕切り板上の基準線を通過しているその目印標識がどの位置にあるかにより、基準線からの距離により比較してプラス側を勝者と決定する。
綱引き競技用のロープの中央部に対して直角に交差する基準線を有する仕切り板をロープ中央部の目印標識の直下に置いて、基準線上のＸ状の交差部の目印標識の位置により勝敗を判定できるという利点がある。
【図面の簡単な説明】
【００１２】
【図１】図１は綱引き用Ｘロープ運道具の実施方法を示した平面図である。（実施例１）
【図２】図２は綱引き用Ｘロープ運道具の実施方法を示した正面図である。（実施例１）
【図３】図３は綱引き用Ｘロープ運道具の実施方法を示した斜視図である。（実施例１）
【図４】図４は綱引き用Ｘロープ運道具の実施方法を示した側面図である。（実施例１）
【図５】図５は綱引き運道具の中央部の実施方法を示した平面図である。（実施例１）
【図６】図６は綱引き運道具の中央部の実施方法を示した正面図である。（実施例１）
【図７】図７は綱引き用Ｘロープ運道具の中央部の実施方法を示した側面図である。（実施例１）
【図８】図８は綱引き用Ｘロープ運道具の中央部の実施方法を示した平面図である。（実施例２）
【図９】図９は綱引き用Ｘロープ運道具の中央部の実施方法を示した正面図である。（実施例２）
【図１０】図１０は綱引き用Ｘロープ運道具の中央部の実施方法を示した側面図である。（実施例２）
【考案を実施するための形態】
【００１３】
綱引き競技に使用される丈夫なロープの中央において、２本のロープをＸ字状に交差させて中央部の縄を綯い交差部を有する各ロープの端部に引き輪を設けて、Ｘ字状ロープを取り巻く目印標識を中央位置に設けて、ロープの中央部の目印標識に対して直角に交差する基準線を有する仕切り板をＸ字状ロープと組み合わせて、綱引き用Ｘロープ運道具を実現した。
【実施例１】
【００１４】
図１〜７は、本考案装置の実施例１の実施方法を示す図面であって、図８〜１０は本考案装置の実施例２の実施方法を示す図面である。  
段落番号００１４〜００１８の実施例１と段落番号００１９の実施例２は、Ｘ字状ロープの各ロープの端に引き輪を設けてあるところが共通している構造であり、これらの実施例１と２は中央部の目印標識において筒状体とリングの形状の相違があるのみである。目印標識とする筒状体又はリングは、ロープ中央の交差部に取り付けるものである。尚、それは合成樹脂製、金属製、皮製、布製の材料をロープに巻いて筒状体又はリング状に取り付けても良いし、色布或いはロープ繊維をほぐして房状に垂らしても良い。金属製、合成樹脂製、皮製、布製、繊維製のいずれかを問わない構成にするものである。
【００１５】
本考案は、綱引き運動用に使用される丈夫なロープ１，２の中央部において、ロープをＸ字状に交差させて縄を綯いロープの中央に交差部３を設けてある。
【００１６】
その各ロープ１，２の端部に引き輪６を設けて、競技は２人又は４人でその引き輪６を握って互いに引き合って勝敗を競いあう。この綱引き競技においては、隣り合う者同士は接近するので、互いの体が触れ合うような場合は、ルール負けとして扱う。
【００１７】
綱引き運動用に使用される丈夫なロープの中央部において、ロープをＸ字状に交差させて縄を綯い交差部３を設けて、ロープ中央の交差部に目印標識４を設けてある。この目印標識は、仕切り板の基準線上の位置により勝敗を目視判定可能とする重要な認識票である。実施例１の目印標識４は、ロープ１，２の中央交差部３に取り付けた筒状体を固定したものである。この筒状体の周囲には中心を示す中心線を輪状に表示することもできる。
【００１８】
綱引き競技の結果は、その目印標識４の位置により目視判定可能とする。このため、綱引き競技の水平な方向のロープ１，２の中央交差部３の下方にロープに対して直角に交差する基準線８を有する仕切り板７を置いて勝敗を競い合う。仕切り板７の基準線８上のロープの中央部であることを示す目印標識４の位置により勝敗を厳格に判定する効果がある。
仕切り板７の中央部で二つ折りにすることにより、仕切り板を携帯用袋に収納して綱引き用Ｘロープ運道具と一緒に携帯運搬することが容易である。
【実施例２】
【００１９】
図８〜１０は、本考案装置の実施例２の図面である。実施例２は、Ｘ字状ロープの各ロープ１と２の端に引き輪６を取り付けてある。これは実施例１の構成と共通である。中央交差部に目印標識を取り付け、この目印標識は、左右リングの形状である。これが実施例２の特徴である。
【００２０】
実施例１（図５〜７）及び実施例２（図８〜９）の中央交差部に筒状体若しくは左右リングに代わるロープの色と区別できる異なる色布や繊維を垂らして房状に中心線を表示することにより意匠的な効果を奏するようにしても良い。  
綱引き競技の開始前、基準線８は左右のリングの中間にあり、競技が開始されてこの中間に基準線があると勝敗の判定の難しい領域である。この実施例１、２の中間の領域が果たすべき機能は、綱引きの結果勝敗を付け難く、中間の領域に基準線が入っている場合には、五分五分の均衡により引き分けと判定する効果がある。
【産業上の利用可能性】
【００２１】
競技前にあらかじめ開始の合図から競技終了までの時間を定めて、ロープの中央交差部に取付けた目印標識を仕切り板上の基準線に合せて競技を開始して、互いに引き輪を持ってロープを引き合って、あらかじめ競技前に決められた一定の時間経過後の結果により勝敗を判定する。グランドでのみならず室内でも、運動不足の解消のために、夫婦、兄弟姉妹、友人同士で容易に競技ができるものである。体育館、家庭、事務所の屋上等で行われる綱引き競技にもロープの下方に仕切り板を置いて勝敗の判定に適用できる。例えば蝶番を用いて仕切り板の中央を二つ折りできるようにすることにより、綱引き用Ｘロープ運道具とセットで携帯用袋に収納して運搬を容易にすることもできる。
【符号の説明】
【００２２】
１    ロープ
２    ロープ
３    Ｘ（エッキス）字状の中央交差部
４    筒状目印標識（実施例１）
５    リング状目印標識（実施例２）
６    引き輪
７    仕切り板
８    基準線
【図１】
0003158415.tif 000003
【図２】
0003158415.tif 000004
【図３】
0003158415.tif 000005
【図４】
0003158415.tif 000006
【図５】
0003158415.tif 000007
【図６】
0003158415.tif 000008
【図７】
0003158415.tif 000009
【図８】
0003158415.tif 000010
【図９】
0003158415.tif 000011
【図１０】
0003158415.tif 000012
【手続補正書】
【提出日】平成21年12月21日(2009.12.21)
【手続補正１】
【補正対象書類名】明細書
【補正対象項目名】０００５
【補正方法】変更
【補正の内容】
【０００５】
この改善策として、グランドでも、狭い室内でも２人又は４人という比較的少人数で綱引き競技をする運動具としては、例えば特許文献１〜４により公開されている。特許文献１乃至２に示された綱引き用運道具は、４本のロープの中心に繋がれている正方形ロープがある。
特許文献２の実施例２について、図２、４に基づいて説明すると、支点リング２に３本の引きロープ１を取り付け、ロープ保護金具５をリングとロープの間に設け、又ロープ１にロープ化粧管６と取っ手３を設けたものである。
特許文献２の実施例３について、図３に基づいて説明すると、２本のロープを十文字に合わせて、その中心部をロープ固定具７によって、上下から挟み、４本のネジで固定したものである。
特許文献３の場合は、図１〜４に示される本体に２本のロープが固定されることがない。
特許文献４は、２人で綱引きする運道具である。  
本考案は、２〜４人で綱引きを楽しくするために提案された綱引き用Ｘロープ運道具であり、綱引き競技の結果、勝敗を明確にして室内でも楽しめる方法として提案されているものである。
【手続補正書】
【提出日】平成22年1月21日(2010.1.21)
【手続補正１】
【補正対象書類名】実用新案登録請求の範囲
【補正対象項目名】請求項２
【補正方法】変更
【補正の内容】
【請求項２】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識は筒状体を設けることを特徴とする請求項１に記載の綱引き用Ｘロープ運動具。
【手続補正２】
【補正対象書類名】実用新案登録請求の範囲
【補正対象項目名】請求項３
【補正方法】変更
【補正の内容】
【請求項３】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識はリングを設けることを特徴とする請求項１に記載の綱引き用Ｘロープ運動具。
【手続補正３】
【補正対象書類名】実用新案登録請求の範囲
【補正対象項目名】請求項４
【補正方法】変更
【補正の内容】
【請求項４】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識により勝敗を目視判定可能とするため、綱引き競技の水平な方向のロープの中央部の目印標識に対して基準線を有する仕切り板をＸ字状ロープと組み合わせて、このＸ字状ロープ中央目印標識の下方に前記ロープに直角に交差する仕切り板を置いて、仕切り板上の前記基準線から中央目印標識の位置により勝敗を判定することを特徴とする請求項１に記載の綱引き用Ｘロープ運動具。
【手続補正４】
【補正対象書類名】実用新案登録請求の範囲
【補正対象項目名】請求項５
【補正方法】変更
【補正の内容】
【請求項５】
綱引き競技に使用される丈夫なロープの中央においてロープを綯って、ロープをＸ字状に交差させて中央部の交差部を有する各ロープの端部に引き輪を設けて、その引き輪を握って互いに引き合って勝敗を競う綱引き競技において、使用されるＸ字状ロープを取り巻く目印標識を中央位置に設けて、その目印標識は繊維を垂らして房状に中心線を表示することを特徴とする請求項１に記載の綱引き用Ｘロープ運動具。